(57)【要約】【課題】  監視用のネットワーク接続可能なビデオカメラは、極めて長時間電源を入れ続けた状態になり、オートフォーカス、オートアイリスは被写体に応じて常に動作するため、電源の入っている時間に比例して機械的部分の消耗、劣化が起こってしまう。【解決手段】  ネットワークからのアクセスがあってから、またはネットワークに対してデータ出力終了後から一定時間（例えば５分）経過すると、カメラ／ＪＰＥＧエンコーダ１７に対して、図示しない信号線によりアイリス／フォーカス休止命令を送る。これにより、アイリスモータ３４、フォーカスモータ３５の制御出力を全停止する。または、制御を間欠的（例えば１０フィールド毎）に行う。または、アイリスモータ３４、フォーカスモータ３５に対する制御を遅くすることで、アイリスモータ３４、フォーカスモータ３５の動作を少なくして、光学系１１の機械的部分の消耗、劣化を防ぐ。【選択図】            図１
2006041870.tif 000002
【特許請求の範囲】
【請求項１】
外部のクライアントにネットワークを介して接続するネットワーク接続手段と、前記クライアントからの要求に従い映像信号を前記ネットワークへ送出するサーバ手段とを有したビデオカメラであって、
電子シャッターを備えた撮像素子と、
前記クライアントからの要求に従い、前記ネットワークへ映像信号を送出するネットワークモードであるか判定する判定手段と、
前記判定手段により前記ネットワークモードであると判定されたときは、絞り径を可変するアイリス制御手段及び焦点距離を可変するフォーカス制御手段の一方又は両方を非作動とし、前記アイリス制御手段を非作動としたときは前記電子シャッターのみを用いて前記撮像素子の入射光の明るさ調整を行う調整制御手段と
を有することを特徴とするビデオカメラ。
【請求項２】
外部のクライアントにネットワークを介して接続するネットワーク接続手段と、前記クライアントからの要求に従い映像信号を前記ネットワークへ送出するサーバ手段とを有したビデオカメラであって、
前記クライアントからの要求に従い、前記ネットワークへ映像信号を送出するネットワークモードであるか判定する判定手段と、
前記判定手段により前記ネットワークモードであると判定されたときは、絞り径を可変するアイリス制御手段の前記絞りの径の可変速度及び焦点距離を可変するフォーカス制御手段のフォーカスレンズの移動速度の少なくとも一方を、前記クライアントと接続されていないモードのときのそれに比し、遅く又は間欠的に制御する調整制御手段と
を有することを特徴とするビデオカメラ。
【発明の詳細な説明】
【技術分野】
【０００１】
本発明はビデオカメラに係り、特にネットワーク接続機能とカメラ自動制御機能とを備えたビデオカメラに関する。
【背景技術】
【０００２】
ビデオカメラのカメラ自動制御機能は、撮像素子の平均出力レベルが所定の範囲内となるように、撮像素子に入射する光量を調整する絞り（アイリス）を制御するアイリス制御機能が知られており（例えば、特許文献１参照）、また、撮像素子から得られる輝度信号の高域成分レベルを基に、撮像素子の入射光面側に設けられたフォーカスレンズの位置を自動制御して、入射光を撮像素子の受光面に焦点一致して結像させるフォーカス制御機能が知られている（例えば、特許文献２参照）。これらのアイリス制御機能とフォーカス制御機能により、ビデオカメラは、被写体が変化しても適切な明るさで、焦点の合った画像を撮像できるようになっている。
【０００３】
また、常時電源を入れておき、ネットワークを通じてアクセスがあれば即座に対応できるような構成のネットワーク接続機能を備えたビデオカメラも従来より知られている（例えば、特許文献３参照）。このネットワーク接続機能を備えたビデオカメラは、デジタル画像をインターネット・アドレスへ送信する一体型ビデオカメラであり、所定のファイル転送プロトコルに従ってデジタル画像ファイルを所定のインターネット・アドレスにある宛先シェル・アカウントへ転送し、それによりインターネットにアクセスしたユーザが宛先シェル・アカウント内のデジタル画像ファイル使用することを可能にする。
【０００４】
【特許文献１】特許第３２１６０２２号公報
【特許文献２】特公平６−３２５０１号公報
【特許文献３】特許第３０３４２４３号公報
【発明の開示】
【発明が解決しようとする課題】
【０００５】
しかしながら、従来のＶＴＲ付きビデオカメラ（ビデオ一体型ＶＴＲ）を、上記の従来のカメラ自動制御機能とネットワーク接続機能とを備えた構成とする場合、ネットワークに接続しようとした時に、ネットワークを通じたアクセスにすぐ反応させる必要があるため、アクセスがある場合でも無い場合でも常に電源を入れておき、オートフォーカス、オートアイリス、オートホワイトバランス機能が動作している状態にする必要がある。
【０００６】
このため、上記のビデオカメラは、通常のビデオテープに録画する時のビデオカメラの使用状態（例えば１年に２０日、１日あたり１時間程度）に比べ、ネットワーク接続時は桁違いに長い時間（例えば１ヶ月、多いときでは１年以上）、ビデオカメラ部の電源を入れ続けた状態になる。この時、モータなどを用いて機械的に動作させる必要のあるオートフォーカス、オートアイリスは被写体に応じて常に動作するため、電源の入っている時間に比例して機械的部分の消耗、劣化が起こってしまう。
【０００７】
また、監視専用のネットワーク接続機能を備えたビデオカメラは、これらの消耗や劣化に対処するため、機械的制御部を持つアイリスの代わりに、電子シャッターによる露光調整だけを用いたり、焦点を合わせる必要の無い単焦点（パンフォーカス式）のレンズを用いるなどで対応しているが、ビデオテープなどの記録媒体に高画質な動画像を記録する目的のＶＴＲ付きビデオカメラでは採用することができない。ＶＴＲ付きビデオカメラでは移動して撮影するため、とても明るい屋外からとても暗い屋内まで撮影できることが必要とされ、電子シャッター単独では対応できないからである。このため、ＶＴＲ付きビデオカメラでは、電子シャッターとメカニカルシャッターを併用するのが通常である。
【０００８】
本発明は以上の点に鑑みてなされたものであり、記録媒体に高画質な動画像を記録することが求められる、ネットワーク接続機能とカメラ自動制御機能とを備えたビデオカメラで、カメラ自動制御の機械的部分の消耗、劣化を防止し得るビデオカメラを提供することを目的とする。
【課題を解決するための手段】
【０００９】
上記の目的を達成するため、第１の発明のビデオカメラは、外部のクライアントにネットワークを介して接続するネットワーク接続手段と、クライアントからの要求に従い映像信号をネットワークへ送出するサーバ手段とを有したビデオカメラであって、電子シャッターを備えた撮像素子と、クライアントからの要求に従い、ネットワークへ映像信号を送出するネットワークモードであるか判定する判定手段と、判定手段によりネットワークモードであると判定されたときは、絞り径を可変するアイリス制御手段及び焦点距離を可変するフォーカス制御手段の一方又は両方を非作動とし、アイリス制御手段を非作動としたときは電子シャッターのみを用いて撮像素子の入射光の明るさ調整を行う調整制御手段とを有することを特徴とする。
【００１０】
この発明では、ネットワークモードに設定すると、自動的にアイリス制御手段及びフォーカス制御手段の一方又は両方を非作動とし、アイリス制御手段を非作動としたときは電子シャッターのみを用いて撮像素子の入射光の明るさ調整を行うことで、アイリス制御手段及びフォーカス制御手段の可動する機械的構成部分を停止できる。
【００１１】
また、上記の目的を達成するため、第２の発明のビデオカメラは、外部のクライアントにネットワークを介して接続するネットワーク接続手段と、クライアントからの要求に従い映像信号をネットワークへ送出するサーバ手段とを有したビデオカメラであって、クライアントからの要求に従い、ネットワークへ映像信号を送出するネットワークモードであるか判定する判定手段と、判定手段によりネットワークモードであると判定されたときは、絞り径を可変するアイリス制御手段の絞りの径の可変速度及び焦点距離を可変するフォーカス制御手段のフォーカスレンズの移動速度の少なくとも一方を、クライアントと接続されていないモードのときのそれに比し、遅く又は間欠的に制御する調整制御手段とを有することを特徴とする。
【００１２】
この発明では、ネットワークモードに設定すると、自動的にアイリス制御手段の絞りの径の可変速度及びフォーカス制御手段のフォーカスレンズの移動速度の少なくとも一方を、クライアントと接続されていないモードのときのそれに比し、遅く又は間欠的に制御するようにしたため、アイリス制御手段及びフォーカス制御手段の可動する機械的構成部分の可動動作をネットワークモードではそれ以外のモードに比し遅くできる。
【発明の効果】
【００１３】
本発明によれば、ネットワークモードに設定した場合、あるいは、検出されたクライアントからのアクセスが無くなるか、又はクライアントへ送出要求された映像信号の送出が完了した後の予め定めた設定時間経過後に、アイリス制御手段及びフォーカス制御手段の一方又は両方を非作動とするか、アイリス制御手段の絞りの径の可変速度及びフォーカス制御手段のフォーカスレンズの移動速度の少なくとも一方を、クライアントと接続されていないモードのときのそれに比し、遅く又は間欠的に制御することにより、アイリス制御手段及びフォーカス制御手段の可動する機械的構成部分の可動動作を停止、遅い制御、または間欠的動作とすることができるので、アイリス制御手段及びフォーカス制御手段の可動する機械的構成部分の磨耗、劣化を従来に比し大幅に低減して長寿命にでき、通常のビデオカメラとして使用するときの性能と、ネットワーク接続カメラとして使用するときの耐久性を両立させることができる。
【発明を実施するための最良の形態】
【００１４】
次に、発明を実施するための最良の形態について説明する。図１は本発明になるビデオカメラの一実施の形態のブロック図を示す。この実施の形態では、撮像素子１２が電子シャッターを有しており、また、この撮像素子１２の撮像面に形成された光学像の輝度を常時一定範囲内とするために、アイリスモータ３４により絞り径が可変制御される絞り（アイリス）が光学系１１内に設けられており、更に、撮像素子１２の撮像面に被写体からの光学像を焦点一致して結像させるために、フォーカスモータ３５により静止位置が移動制御されるフォーカスレンズが光学系１１内に設けられている。
【００１５】
更に、本実施の形態のビデオカメラは、ＤＳＣ（デジタル・スチル・カメラシステム）３０から無線ＬＡＮカード４１を介してネットワークに接続可能な構成とされている。なお、本実施の形態のビデオカメラは、例えば一定の場所に設置されて監視用途に用いられることが可能とされている。以下、この実施の形態の各モードの動作について説明する。
（１）カメラ動画像のテープ録画モード
光学系１１で画角、フォーカス、アイリスを調整された被写体からの入射光は、電荷結合素子（ＣＣＤ）で構成された撮像素子１２の撮像面上で光学像を結ぶ。撮像素子１２は、電子シャッターで入射光の明るさを調整し、また画像処理回路１４からの垂直ドライブ信号と、ＡＦＥ１３からの水平ドライブ信号により駆動され、撮像面上の光学像を光電変換して２ｃｈの画像データを出力する。この２ｃｈの画像データは、画面の中心で左右に分割されたデータとなっており、これらの画像データは次のＡＦＥ１３において、それぞれ相関２重サンプリング（ＣＤＳ）によるＳ／Ｎ改善、自動利得制御（ＡＧＣ）による利得調整、及びＡ／Ｄ変換によるデジタル変換が順次に施されて、２ｃｈのデジタル信号とされて並列に出力される。
【００１６】
ＡＦＥ１３から並列に出力された２ｃｈのデジタル信号は、次段の画像処理回路１４において、それぞれゲイン、セットアップ調整されて結合され、１枚の画像に合成されてカメラ／ＪＰＥＧエンコーダ１７へ出力される。
【００１７】
ここで、発振器（ＯＳＣ）１５はカメラ信号処理で必要となるクロックを発生する。このクロックを基準としてＡＦＥ１３でのＣＤＳやＡ／Ｄ変換に用いるクロックを、画像処理回路１４で発生する。また、撮像素子１２を駆動する垂直ドライブ信号は、画像処理回路１４で発生させ、増幅した後撮像素子１２に供給する。水平ドライブ信号は、ＡＦＥで発生させて撮像素子１２に与える。
【００１８】
画像処理回路１４で１枚の画像となった画像データは、カメラ／ＪＰＥＧエンコーダ１７に供給されてカメラ信号処理され、補色のＣＣＤデータからＹＵＶデータに変換される。また、カメラ／ＪＰＥＧエンコーダ１７は、ズーム、モザイク、ソラリゼーションなどの電子画像処理を行い、最終的にデジタルビデオカメラ（ＤＶＣ）の規格に合う有効画素（ＮＴＳＣ：７２０×４８０、ＰＡＬ／ＳＥＣＡＭ：７２０×５７６）の動画像に画像サイズを変換して画像データを出力端子１８から出力する。ここで、カメラ／ＪＰＥＧエンコーダ１７では画像処理回路１４からクロックが入力され、同期信号を画像処理回路１４へ出力している。
【００１９】
ビデオエンコーダ／デコーダ１９は、カメラ／ＪＰＥＧエンコーダ１７の出力端子１８から出力された画像データを、そのままビデオ信号として出力する一方、ＤＶコーデック２０に供給される。ＤＶコーデック２０は、入力されたビデオ信号をＤＶ規格に基づき圧縮し、この圧縮ビデオ信号に音声セレクタ／マイクアンプ２１から入力された音声信号をＡ／Ｄ変換して付加し、それら信号全体に誤り訂正符号を付加した後、記録のための所定の変調方式にて変調した後、その変調された信号をＤＶＣデッキ２２へ出力して、公知のヘリカルスキャニング方式により回転ヘッドを用いて磁気テープに記録させる。
【００２０】
この時ビデオエンコーダ／デコーダ１９において、入力ビデオ信号に対して機器操作に必要となる文字を、同期信号に合わせてＯＳＤ（オン・スクリーン・ディスプレイ）２３から出力させ、そのＯＳＤ２３からの信号を内部で合成した後、ＮＴＳＣ方式またはＰＡＬ／ＳＥＣＡＭ方式のカラー映像信号に変調して、本体表示用表示器（ビューファインダー、液晶表示装置など）２４に出力すると共に、ビデオ信号として外部に出力する。
【００２１】
また、マイク２５により収音された音声は、マイク２５により音響−電気変換されて音声信号となり、その音声信号は音声セレクタ／マイクアンプ２１にてゲイン調整後にＤＶコーデック２０に出力され、前述のように動画像のビデオ信号と一緒に磁気テープに記録される。
【００２２】
このビデオカメラ全体はシステムＣＰＵ２６が、操作スイッチ、センサなどのユーザインタフェース（ＵＩ）２７からのデータと、時計回路２９からのＲＴＣ（リアルタイムクロック）信号とを基に、電源回路（ＲＥＧ）２８への制御信号や、図示しない信号線により他のブロックを制御する。
【００２３】
カメラ画像処理時は、角速度検出器（ＧＹＲＯ）３１により検出された機器の動き情報を、画像処理回路１４を経由し、外部バス３２、３３によりカメラ／ＪＰＥＧエンコーダ１７に取り込むと共に、１フィールド分の画像メモリを持つカメラ／ＪＰＥＧエンコーダ１７において、その動き情報から現在と過去の１フィールド間の画像の動きベクトルを算出して、その動きベクトルが最小になるように画像メモリからの読み出し位置を制御することで、手振れなどによる動画像の細かい揺れを生じさせないようにさせている。
【００２４】
カメラ自動制御機能について次に説明する。カメラ／ＪＰＥＧエンコーダ１７は、画像処理回路１４から画像データのフィールド１枚１枚が入力される度に、その１フィールド画像を分割したブロック毎に、それぞれの平均輝度出力レベルを算出する。カメラ／ＪＰＥＧエンコーダ１７は、続いて、算出したその平均輝度出力レベルが、所定のアルゴリズムで一定の範囲内となるように計算し、その計算結果に応じた制御信号を生成して外部バス３３、３２を介して画像処理回路１４に供給する。
【００２５】
画像処理回路１４から出力された駆動信号は、アイリスモータ３４を駆動制御し、アイリスモータ３４の回転角度や回転方向に応じて光学系１１内の絞りの口径を可変したり、減光フィルタを撮像素子１２の入射光路内に挿入するか外したりするアイリス調整を行う。更に、入射光量が多い場合には撮像素子１２の電子シャッターを用いて調整を行う。このようなオートアイリス制御により、被写体の明るさが変化しても、撮像素子１２の撮像面に形成された光学像の輝度は常時一定範囲内に制御される。
【００２６】
同様に、カメラ／ＪＰＥＧエンコーダ１７は、１フィールド画像を分割したブロック毎にそれぞれの輝度信号の高域成分レベルを算出し、その算出した高域成分レベルを基に被写体の応じたフォーカス位置を計算し、その計算結果を外部バス３３及び３２を介して画像処理回路１４に供給し、これよりオートフォーカス信号を生成してフォーカスモータ３５を駆動制御する。このフォーカスモータ３５の回転方向及び回転量に応じて、光学系１１内のフォーカスレンズが、撮像素子１２の方向又はその反対方向に、上記の回転量に応じた距離だけ移動し、被写体からの入射光が撮像素子の撮像面に焦点一致して結像するようなオートフォーカス制御が行われる。
【００２７】
以上の電子シャッター及びオートアイリス制御とオートフォーカス制御により、被写体の明るさ及び位置が変化しても常に適切な明るさで、焦点の合った動画像を撮像でき、その撮像動画像をＤＶＣデッキ２２で磁気テープに記録できる。
【００２８】
（２）テープ再生モード
ＤＶＣデッキ２２により磁気テープから再生された信号は、ＤＶコーデック２０に供給されて復調及び誤り訂正され、得られた再生動画像信号はＤＶ伸張後カメラ／ＪＰＥＧエンコーダ１７に一旦出力され、得られた再生音声データはＤ／Ａ変換された後、音声セレクタ／マイクアンプ２１で増幅されてスピーカ３６に供給され、ここで電気−音響変換されて音声として発音される。
【００２９】
再生動画像信号はカメラ／ＪＰＥＧエンコーダ１７にて必要に応じてズーム、スチル処理などの処理が施された後、ビデオエンコーダ／デコーダ１９に出力され、ここで前記（１）のカメラ動画像のテープ録画モードと同様に、表示器２４やビデオ入出力端子に出力されて視聴される。
【００３０】
（３）メモリへの動画録画モード
（１）のカメラ動画像のテープ録画モードと同じ動作をしている時に、カメラ／ＪＰＥＧエンコーダ１７から、ＤＳＣ３０に対して動画像信号が出力される。また、マイク２５から入力された音声信号が、音声セレクタ／マイクアンプ２１で増幅された後、音声用ＡＤＣ／ＤＡＣ３７でＡ／Ｄ変換されてディジタル音声データに変換され、ＤＳＣ３０に供給される。
【００３１】
ＤＳＣ３０は、カメラ／ＪＰＥＧエンコーダ１７から入力された動画像信号はＣＩＦ（３５２×２８８）、ＱＶＧＡ（３２０×２４０）など正方画素で、パーソナルコンピュータ（ＰＣ）のツールで対応可能な所定のサイズ／フレームレートに変換後に、ＭＰＥＧ４等の動画圧縮を行う。また、ＤＳＣ３０は、音声用ＡＤＣ／ＤＡＣから入力された音声データに対しても、上記の動画像信号と同様に、ＰＣ上のツールで対応可能なサンプリングレート、ビット数に変換後圧縮を行う。
【００３２】
そして、ＤＳＣ３０はその圧縮した動画像データと音声データを一つのファイルにまとめ、ＳＤメモリカード３８への書き込みを行う。この時、ＤＳＣ３０に接続されているリード・オンリ・メモリ（ＲＯＭ）３９はプログラムコード、シンクロナス・ダイナミック・ランダム・アクセス・メモリ（ＳＤＲＡＭ）４０は画像バッファ、作業領域として使用している。
【００３３】
テープ再生時のメモリ録画も、上記のカメラ動画像のメモリ録画と同様に、カメラ／ＪＰＥＧエンコーダ１７から、ＤＳＣ３０に対してテープ再生動画像を出力し、テープ再生音声信号を音声セレクタ／マイクアンプ２１から音声用ＡＤＣ／ＤＡＣ３７に対して出力して、Ａ／Ｄ変換後ＤＳＣ３０に出力することで、テープ再生動画をＭＰＥＧ４動画像としてＳＤメモリカード３８に録画することが可能となる。
【００３４】
（４）メモリからの動画再生モード
ＤＳＣ３０のＳＤＩＯ−Ｉ／Ｆに接続されているＳＤメモリカード３８からＭＰＥＧ４等の動画ファイルを読み出し、ＤＳＣ３０において動画圧縮データと音声圧縮データに分離後、それぞれ伸張する。ＤＳＣ３０は動画圧縮データに対してＭＰＥＧ４等の動画伸張後にＮＴＳＣ方式、ＰＡＬ方式、あるいはＳＥＣＡＭ方式などのテレビ規格に合うように、フレームレートやサイズを変換してビデオエンコーダ／デコーダ１９へ出力すると共に、音声圧縮データに対して伸張後にサンプリング周波数を音声用ＡＤＣ／ＤＡＣ３７で使用する周波数に合わせて変換を行って出力する。
【００３５】
ＤＳＣ３０から出力された動画像データは、ビデオエンコーダ／デコーダ１９を経由し表示器２４で表示され、また、ビデオ入出力端子にも出力される。また、ＤＳＣ３０から出力された音声データは、音声用ＡＤＣ／ＤＡＣ３７でＤ／Ａ変換された後、音声セレクタ／マイクアンプ２１を経由してスピーカ３６に供給されて発音される。
【００３６】
（５）メモリへの静止画記録モード
上記の（１）のカメラ動画像のテープ録画モードと同様に、カメラ／ＪＰＥＧエンコーダ１７が画像を取り込み、ここでＪＰＥＧ圧縮を行う。その後、そのＪＰＥＧ圧縮データを外部バス３３及び３２を介して画像処理回路１４に供給し、更にこれより高速シリアル転送でＤＳＣ３０に送信する。ＤＳＣ３０は受け取ったＪＰＥＧ圧縮データをファイル化してＳＤメモリカード３８に記録する。
【００３７】
（６）メモリからの静止画再生モード
ＳＤメモリカード３８などからＪＰＥＧ圧縮データを読み出してＤＳＣ３０に供給し、ここでＪＰＥＧ伸張を行う。その後ＮＴＳＣ方式、ＰＡＬ方式、あるいはＳＥＣＡＭ方式などのテレビ規格に合うようにサイズを変換した後、ビデオエンコーダ／デコーダ１９に出力し、表示器２４に表示したり、ビデオ入出力端子へビデオ信号として出力する。
【００３８】
（７）ネットワーク静止画転送モード
ネットワークモードでは、ＳＤＩＯ無線ＬＡＮカード（ＳＤＩＯ−ＷＬＡＮ）４１によって、外部の無線アクセスポイントまたは無線機能を搭載したコンピュータ４２と無線接続される。ＤＳＣ３０内にはＴＣＰ／ＩＰプロトコルスタック、Ｗｅｂサーバを搭載し、それら外部機器からのアクセスによって、このビデオカメラを制御することが可能な状態となっている。
【００３９】
具体的には、外部コンピュータ４２からＷｅｂブラウザ等を用いてＤＳＣ３０に接続されたＲＯＭ３９に記録されているＷｅｂページにアクセスし、これにより外部コンピュータ４２の画面に表示されるＷｅｂページの項目選択やボタンをクリックすることで、その情報をネットワークを介してビデオカメラ側に伝え、ビデオカメラに対しての要求（静止画選択、動画選択、ＶＴＲ制御など）を行う。
【００４０】
外部コンピュータ４２が静止画のＷｅｂページにおいて静止画サイズを選択し、静止画取り込み要求をネットワークを介してビデオカメラに行うと、ビデオカメラ内のＤＳＣ３０からシリアル信号線を介してシステムＣＰＵ２６に静止画取り込み要求が出され、これにより、（５）のメモリへの静止画記録モードと同じ動作を開始する。この時静止画のサイズもＷｅｂページで選択された情報がシステムＣＰＵ２６へ伝えられ、指定サイズの静止画データが作成されてＤＳＣ３０に入力されることになる。
【００４１】
ＤＳＣ３０では撮像素子１２で撮像して得られた動画像をＪＰＥＧ圧縮して得られた静止画データを、一旦ＳＤＲＡＭ４０に書き込み、その静止画データを外部コンピュータ４２にネットワークを介して送り出す。外部コンピュータ４２では、その静止画データを受け取り、Ｗｅｂブラウザや専用ツールでＪＰＥＧ伸張し、Ｗｅｂブラウザ上に表示させる。これにより、インターネット等のネットワークを経由したビデオカメラの撮影静止画を、外部コンピュータ４２の画面で鑑賞することが可能となる。
【００４２】
このネットワーク静止画転送モードでのカメラ自動制御機能の動作は、ネットワークからのアクセスが発生すると、（１）のカメラ動画像のテープ録画モードと同様に、１フィールド毎の画像を用いて電子シャッターとアイリスを用いたオートアイリス制御を行うと共にオートフォーカス制御を通常の速度で行う。アクセスのある無しはシステムＣＰＵ２６が監視しており、内部タイマを用いて、アクセスがあってから、またはネットワークに対してデータ出力終了後から一定時間（例えば５分）経過すると、カメラ／ＪＰＥＧエンコーダ１７に対して、図示しない信号線によりアイリス／フォーカス休止命令を送る。これによりカメラ／ＪＰＥＧエンコーダ１７ではアイリス及びフォーカス制御の休止モードとなる。
【００４３】
具体的には、アイリスモータ３４、フォーカスモータ３５の制御出力を全停止する。または、制御を間欠的（例えば１０フィールド毎）に行う。または、アイリスモータ３４、フォーカスモータ３５に対する制御を遅くすることで、アイリスモータ３４、フォーカスモータ３５の動作を少なくして、光学系１１の機械的部分の消耗、劣化を防ぐ。
【００４４】
ネットワークからのアクセスが再びあった場合は、図示しない信号線によりカメラ／ＪＰＥＧエンコーダ１７へアイリス／フォーカス再開命令を送ることで、通常の１フィールド毎のアイリスモータ３４、フォーカスモータ３５の高速制御に戻して、画質の良い画像を取り込めるようにする。
【００４５】
なお、ネットワークからのアクセスによらず、ネットワークモードに切り替えると、オートアイリス制御とオートフォーカス制御を自動的に休止モードに入れることも可能である。ネットワークモードに切り替える場合、上記のオートアイリス制御の休止モードにおいては機械的な制御を全て止め、電子シャッターのみを用いて撮像素子１２により撮像して得られる静止画の明るさを調整する。また、上記のオートフォーカス制御の休止モードでは、フォーカスモータ３５の駆動制御を停止する。
【００４６】
また、ネットワークモードでは、本実施の形態のビデオカメラは通常、監視用途に供されるので、被写体の明るさが急に大きく変化することはないはずであるので、その場所の明るさに対応できる露光調整を行えばよく、電子シャッターのみで対応できるので、ネットワークモードに入る前のメカニカルシャッターによる露光調整量をネットークモード中保持するようにしてもよい。
【００４７】
（８）ネットワークカメラ動画ストリーム転送モード
このモードも（７）のネットワーク静止画転送モードと同様に、無線ＬＡＮカード４１によって、外部のビデオカメラがネットワークを介して外部コンピュータ４２と接続される。外部コンピュータ４２からＷｅｂブラウザ等を用いてＤＳＣ３０に接続されたＲＯＭ３９に記録されているＷｅｂページにアクセスし、Ｗｅｂページの項目選択やボタンをクリックすることでカメラ動画ストリーム転送の要求がビデオカメラになされる。
【００４８】
外部コンピュータ４２によりＷｅｂページのボタンをクリックするなどにより、外部コンピュータ４２からカメラ動画ストリーム転送の要求をビデオカメラが受け取った場合は、ＤＳＣ３０からシステムＣＰＵ２６に（１）のカメラ動画像のテープ録画モードの要請を出し、これに基づくシステムＣＰＵ２６の制御により、カメラ／ＪＰＥＧエンコーダ１７の出力端子１８から出力されたカメラ撮像の動画像データがＤＳＣ３０に供給される。
【００４９】
ＤＳＣ３０は入力された動画像データを（３）のメモリの動画録画モードと同様に、Ｗｅｂページで設定されたサイズで圧縮し、ＳＤＲＡＭ４０をバッファとして用いて外部コンピュータ４２に対して、ネットワークを介して動画ストリームとして送り出す。また、ＤＳＣ３０は動画ストリームデータの初めに、コーデック種類、画像サイズ、ビットレートなどの情報を出力し、これを基に外部コンピュータ４２上の動画再生ソフトが動画ストリームを再生する。そして、外部コンピュータ４２との接続が切断されるまで動画ストリームを転送し続ける。
【００５０】
このときのカメラ自動制御機能の動作は、ネットワークからのアクセスが発生して動画ストリームの接続が完了するまでは、（１）のカメラ動画像のテープ録画モードと同様に１フィールド毎の画像を用いて、電子シャッターとアイリスを用いたオートアイリス制御を行うと共にオートフォーカス制御を通常の速度で行う。動画ストリームの接続が切断されてから一定時間（例えば５分）経過すると、アイリス制御及びフォーカス制御の休止モードとなるようにすることで、光学系１１内のアイリス系及びフォーカス系の機械的部分の消耗、劣化を防ぐことができる。または、（７）のネットワーク静止画転送モードで説明したように、ネットワークモードを選択した時点でアイリス制御とフォーカス制御を遅くする休止モードに入るようにしてもよい。
【００５１】
なお、ビデオカメラが、外部コンピュータ４２よりＷｅｂページを介してＳＤメモリカード３８の動画ストリーム転送の要求を受け取った場合は、ＤＳＣ３０がＳＤメモリカード３８から動画ファイルを読み出し、その動画ファイルのフォーマットがネットワークに送り出すことが可能なフォーマットならばそのまま、そうでない場合は送り出すことが可能なフォーマットに変換してから、ＳＤＲＡＭ４０をバッファとして用いて外部コンピュータ４２に対して動画ストリームとして送り出す。
【００５２】
なお、本発明は以上の実施の形態に限定されるものではなく、例えば、ネットワークを介して外部のクライアントからアクセスがあったとき、あるいはビデオカメラの設定モードでネットワークからのアクセスモードに設定されているときには、オートフォーカス制御とオートアイリス制御の一方だけを上記の実施の形態で説明した動作を行うようにしてもよい。
【図面の簡単な説明】
【００５３】
【図１】本発明の一実施の形態のブロック図である。
【符号の説明】
【００５４】
１１  光学系
１２  撮像素子
１４  画像処理回路
１７  カメラ／ＪＰＥＧエンコーダ
１９  ビデオエンコーダ／デコーダ
２０  ＤＶコーデック
２２  ＤＶＣデッキ
２５  マイク
２６  システムＣＰＵ（中央処理装置）
３０  ＤＳＣ（デジタル・スチル・カメラシステム）
３１  角速度検出器（ＧＹＲＯ）
３４  アイリスモータ
３５  フォーカスモータ
３６  スピーカ
３８  ＳＤメモリカード
４１  無線ＬＡＮカード
４２  外部コンピュータ
【図１】
2006041870.tif 000003